(57)【要約】【課題】カード挿入時の操作性を損なうことなく、挿入口から異物が取り込まれることを防止できるカード処理装置を提供することを目的とする。【解決手段】挿入口２１へのカードＣの挿入に伴い、該カードＣの裏面側でこれと共に移動する異物Ｆの挿入口２１への移動を阻止して、カードＣから異物を分離する異物分離手段としての挿入口ガイド３を備え、挿入口ガイド３は、カードＣの裏面と当接することにより、該カードＣの移動方向を規制して、これを挿入口２１に案内するガイド底面３１と、該ガイド底面３１より凹んで、異物Ｆをガイド底面３１から落とし込む凹部３４と、該凹部３４に落とし込んだ異物Ｆに当接することで該異物Ｆの移動を阻止し、カードＣから前記異物を分離するストッパー部３１ｂとを有する。【選択図】図５
2013119471.tif 000002
【特許請求の範囲】
【請求項１】
カードが挿入される挿入口を備えたカード処理装置であって、
前記挿入口への前記カードの挿入に伴い、該カードの裏面側でこれと共に移動する異物の前記挿入口への移動を阻止して、前記カードから異物を分離する異物分離手段を備えた
カード処理装置。
【請求項２】
前記異物分離手段は、前記カードの裏面と当接することにより、該カードの移動方向を規制して、これを前記挿入口に案内するガイド面と、
該ガイド面より凹んで、前記異物を前記ガイド面から落とし込む凹部と、
該凹部に落とし込んだ前記異物に当接することで該異物の移動を阻止し、前記カードから前記異物を分離するストッパー部とを有する
請求項１に記載のカード処理装置。
【請求項３】
前記ストッパー部の摩擦係数を、前記ガイド面よりも高く設定した
請求項２に記載のカード処理装置。
【発明の詳細な説明】
【技術分野】
【０００１】
この発明は、カードが挿入される挿入口を備えたカード処理装置に関するものである。
【背景技術】
【０００２】
一般的に、カードを挿入口から取り込んで情報を読み書きする等の所定の処理を行なうカード処理装置では、前記挿入口からカード以外の異物を取り込んでしまうと、次のカードを挿入することができなくなり、機器の停止や故障の要因になる。このため、従来、挿入口の幅方向及び高さ方向の寸法をカードの寸法と略同じにして、取り扱うカード以外のものを挿入できないようにしていた。
【０００３】
しかしながら、この場合、取り扱うカードより小さい異物の取り込みを防止することができないという問題があった。
【０００４】
そこで、挿入口にシャッターを設け、所定の寸法のカードが挿入された場合のみ前記シャッターを開くように構成したものが提案されている（下記特許文献１参照）。
【先行技術文献】
【特許文献】
【０００５】
【特許文献１】特開平１１−８５９１６号公報
【発明の概要】
【発明が解決しようとする課題】
【０００６】
しかしながら、前記特許文献１の場合、例えば、前記カードより幅が小さく、かつ紙片やプリペイドカード等のように厚みが薄い紙葉状の異物を前記カードと重ねて挿入すると、該カードが所定の寸法を有していることによって、シャッターが開いてしまい、シャッターが開放された挿入口から、カードと共に前記異物が取り込まれてしまうという問題があった。
【０００７】
このように、紙葉状の異物を取り込んでしまうと、この異物が装置内に配設したカード搬送ローラ間に残留したり、カード搬送ガイドに引っ掛かったりして、装置の動作異常を起こすことになってしまう。
【０００８】
ここで、紙葉状の異物をカードと重ねて挿入する場合としては、主に、以下に述べるようなケースが考えられる。具体的には、元々カードの裏面に重ねて財布に入れていた前記異物をカードと一緒に抜き取ることによって、操作者が視認できないまま挿入口に挿入してしまう場合である。なお、ここで言うカードの裏面とは、カードの挿入時において操作者と対向する表面（操作者が視認できる面）と反対側の面（操作者が視認できない面）を意味する。
【０００９】
この場合、操作者が前記異物の取り込みに気づくことは困難であることから、前記異物の取り込みを防止するための対策を装置側で施すことが必要になる。
【００１０】
この発明は、上述の問題に鑑み、カード挿入時の操作性を損なうことなく、挿入口から異物が取り込まれることを防止できるカード処理装置を提供することを目的とする。
【課題を解決するための手段】
【００１１】
この発明は、カードが挿入される挿入口を備えたカード処理装置であって、前記挿入口への前記カードの挿入に伴い、該カードの裏面側でこれと共に移動する異物の前記挿入口への移動を阻止して、前記カードから異物を分離する異物分離手段を備えたことを特徴とする。
【００１２】
なお、カードの裏面とは、カードの挿入時において操作者と対向する表面（操作者が視認できる面）と反対側の面（操作者が視認できない面）を意味する。
【発明の効果】
【００１３】
この発明により、カード挿入時の操作性を損なうことなく、挿入口から異物が取り込まれることを防止することができる。
【図面の簡単な説明】
【００１４】
【図１】本発明の第１実施形態に係るカード処理装置を示す側面図。
【図２】挿入口ガイドの斜視図。
【図３】挿入口ガイドのガイド底面を示す平面図。
【図４】カード裏面側の異物をカードから分離する時の動作を説明するための図。
【図５】カード裏面側の異物をカードから分離する時の動作を説明するための図。
【図６】カード裏面側の異物をカードから分離する時の動作を説明するための図。
【図７】本発明の第２実施形態に係る挿入口ガイドを示す側面図。
【図８】本発明の第３実施形態に係る挿入口ガイドを示す斜視図。
【図９】挿入口ガイドのガイド底面を示す平面図。
【図１０】本発明の第４実施形態に係る挿入口ガイドを示す側面図。
【図１１】本発明の第５実施形態に係る挿入口ガイドのガイド底面を示す側面図。
【図１２】本発明の第６実施形態に係るカード処理装置を示す側面図。
【発明を実施するための形態】
【００１５】
以下、図面に基づいて本発明の実施形態を詳述する。  
（第１実施形態）  
まず、図１〜図６に示す第１実施形態について説明する。本実施形態に係るカード処理装置１は、例えば、金融機関や遊技場等に設置されるものであり、図１に示すように、カードＣを挿入口２１から取り込んで情報を読み書きするカードリーダー２と、異物分離手段としての挿入口ガイド３とにより構成される。
【００１６】
カードリーダー２は、カードＣが挿入される挿入口２１と、搬送路２２と、カードＣを挿入口ガイド３から搬送路２２に受け渡す連絡部２３と、一対の搬送ローラ２４と、該搬送ローラ２４によって搬送されたカードＣの情報を読み取ったり、カードＣに情報を書き込んだりする処理部２５とを備えている。
【００１７】
挿入口ガイド３は、図１、図２に示すように、ガイド底面３１と、ガイド底面３１の両側に位置するガイド側面３２、３２と、ガイド底面３１と対向する天井面３３とを有しており、挿入口ガイド３は、そのガイド底面３１が挿入口２１と同じ高さ位置になるようにカードリーダー２に取り付けられている。
【００１８】
また、挿入口ガイド３では、図１〜図３に示すように、ガイド底面３１より凹んだ複数（ここでは２つ）の凹部３４が形成されており、その底面は、カードＣの挿入方向Ｘ（図１〜図３参照）の上流側から下流側に向かって徐々に深くなるように傾斜している。
【００１９】
また、ガイド底面３１には、カードＣの挿入方向Ｘと直交する直交方向Ｙ（図２、図３参照）の両端部及び中間部に、凹部３４の形成によって相対的に凸形状をなすリブ３１ａが形成され、挿入方向Ｘの下流側端部には、リブ３１ａ同士を連結するようにこれと同じ高さ位置で直交方向Ｙに延びるストッパー部３１ｂが形成されている。
【００２０】
挿入口ガイド３では、ガイド側面３２、３２間の間隔、つまりガイド底面３１の直交方向Ｙの幅が、カードＣの幅寸法と略同じに設定され、かつガイド底面３１が挿入口２１に直接接続されている。このため、ガイド底面３１に載置したカードＣをガイド底面３１に沿って挿入方向Ｘに押し込めば、カードＣの裏面とガイド底面３１との当接によって、カードＣの移動方向が規制され、カードＣは、挿入方向Ｘに対して斜行することなくスムーズに挿入口２へと案内されるようになっている。
【００２１】
また、本実施形態では、リブ３１ａ、３１ａ間の間隔が、カードＣよりも小さく設定されているため、カードＣが途中で凹部３４に落とし込まれることもない。
【００２２】
挿入口２から挿入されたカードＣは、連絡部２３を経て搬送ローラ２４まで到達した後、この搬送ローラ２４の送り出しにより、搬送路２２に沿って処理部２５に搬送される。
【００２３】
カードＣが処理部２５に搬送されると、処理部２５は、カードＣに貼付された磁気ストライプやＩＣタグ等に書き込まれたデータを読み取って、図示しない上位コンピュータに送信したり、磁気ストライプやＩＣタグ等に所定の情報を書き込んだりする。その後、カードＣは、搬送ローラ２４の送り出しによって搬送路２２から挿入口２１に排出され、操作者に返却される。
【００２４】
ところで、挿入口ガイド３では、ガイド底面３１と天井面３３との間の間隔Ｈ（図２参照）を、カードＣの１枚分の厚みより若干大きい程度に設定するのが好ましい。これにより、複数枚のカードＣが挿入されたり、カードＣより厚みのある異種のカードが挿入されたりすることを防止できる。但し、エンボス加工が施されたカードＣの使用を想定している場合には、加工部分の高さを考慮して間隔Ｈを設定するのが好ましい。
【００２５】
次に、図４〜図６をさらに参照して、カードより幅が小さく、かつ紙片やプリペイドカード等のように厚みが薄い紙葉状の異物Ｆが、カードＣの裏面側でこれと重なっていた場合について説明する。  
この場合、先ず、図４に示すように、異物ＦがカードＣと共に挿入口ガイド３のガイド底面３１に載置されるが、この時、カードＣを挿入方向Ｘに押し込むことによって、カードＣが挿入方向Ｘに移動すると共に、異物ＦもカードＣと共に挿入方向Ｘに移動する。
【００２６】
ここで、カードＣ及び異物Ｆがリブ３１ａ及び凹部３４に到達すると、図５に示すように、カードＣは、直交方向Ｙの両端部及び中間部に位置するリブ３１ａの案内によって挿入方向Ｘの下流側に移動し、ストッパー部３１ｂの面上を通過する。一方、異物Ｆは、凹部３４の位置に到達した時点で、ガイド底面３１による規制がなくなるため、カードＣから部分的に剥離し、凹部３４の空間内に落とし込まれる。そして、図示のように、凹部３４の空間内に落とし込まれた異物Ｆの先端部Ｆａが、ストッパー部３１ｂの縦壁面に正面から当接する。
【００２７】
ここで、カードＣをさらに挿入方向Ｘに押し込むと、図６に示すように、カードＣは、ストッパー部３１ｂより下流側の挿入口２１（図１参照）まで到達する一方、異物Ｆは、その先端部Ｆａがストッパー部３１ｂの縦壁面に引っ掛かることで、挿入方向Ｘへの移動が阻止される。この時、カードＣと異物Ｆとの位置関係がずれることにより、異物ＦはカードＣから分離される。
【００２８】
本実施形態では、上述したように、挿入口２１へのカードＣの挿入に伴い、カードＣの裏面側でこれと共に移動する異物Ｆの挿入口２１への移動を阻止して、カードＣから異物Ｆを分離する挿入口ガイド３（異物分離手段）を備えることで、挿入口２１から異物Ｆが取り込まれることを防止できる。
【００２９】
さらに、この場合、ガードＣの挿入方向Ｘへの移動を許容する一方で、異物Ｆの移動のみを阻止するため、カード挿入時の操作性を損なうことをなく、異物Ｆを分離することができる。
【００３０】
また、カードＣの裏面と当接することにより、該カードＣの移動方向を規制して、これを挿入口２１に案内するガイド底面３１と、該ガイド底面３１より凹んで、異物Ｆをガイド底面３１から落とし込む凹部３４と、該凹部３４に落とし込んだ異物Ｆに当接することで該異物Ｆの移動を阻止し、カードＣから異物Ｆを分離するストッパー部３１ｂとを有する構成にしたことで、特別な駆動手段を用いなくても、カードＣの挿入方向Ｘへの移動を利用して容易に異物Ｆを分離することができる。これにより、挿入口ガイド３の構成を簡素化することができる。
【００３１】
ところで、特開２００８−１５８３１号公報では、紙幣の折れ曲がり部を落とし込む落とし込み部（凹部）と、前記折れ曲がり部の落とし込みに伴って発生する紙幣の斜行を検出するセンサとを備えたものが開示されている。しかしながら、特開２００８−１５８３１号公報では、あくまでも、折れ曲がり部を有する紙幣の検出を目的としており、折れ曲がり部を落とし込むことが前提となっている。
【００３２】
これに対し、本実施形態では、折れ曲がり部の有無に関わらず異物Ｆを凹部３４に落とし込むことが要求される。本実施形態の場合、カードＣが挿入方向Ｘに移動する時の押し付け力によって異物Ｆの浮き上がりが抑制されており、これによって、折れ曲がり部の有無に関わらず、異物Ｆを確実に凹部３４に落とし込むことが可能になっている。
【００３３】
なお、本実施形態では、リブ３１ａ同士の間隔を広げることで（凹部３４の幅を広げることで）、異物Ｆを容易にカードＣから剥離させ、凹部３４に落とし込むことができるが、カードＣが可撓性を有する場合には、カードＣまでもが凹部３４に落とし込まれる虞がある。このため、カードＣの特性に応じて、リブ３１ａの間隔（凹部３４の幅）や数を適宜設定するのが好ましい。
【００３４】
また、カードＣの裏面をガイド底面３１に載置することなく、略鉛直方向に挿入した場合、ストッパー部３１ｂによる異物Ｆの分離が良好に行なわれない可能性がある。そこで、ストッパー部３１ｂを、図１、図２に示した位置よりもさらに奥側（挿入口２１）側に設定してもよい。この場合、天井面３３との当接によって、カードＣはストッパー部３１ｂの手前で強制的にガイド底面３１上に載置されることになるため、異物Ｆをストッパー部３１ｂでより確実に分離することができる。
【００３５】
また、凹部３４、リブ３１ａ、ストッパー部３１ｂを形成するにあたっては、平坦なガイド底面３１の一部を切削加工して凹部３４を形成することにより、相対的に凸形状をなすリブ３１ａ、ストッパー部３１ｂを形成してもよいし、平坦なガイド底面３１の一部にリブ３１ａ及びストッパー部３１ｂを取り付けることによって、相対的に凹形状をなす凹部３４を形成してもよい。
【００３６】
（第２実施形態）  
また、図７に示すように、ガイド底面３１の挿入方向Ｘの上流側部分に、凹部３４の底面と連続するような傾斜部３１ｃを形成してもよい。この場合、ガイド底面３１の傾斜部３１ｃに沿ってカードＣ（及び異物Ｆ）を移動させることにより、カードＣ（及び異物Ｆ）を水平に移動させた場合に比べ、異物Ｆが凹部３４に到達した時、これをより確実に凹部３４内に落とし込むことができる。なお、図７において、図１〜図６に示す第１実施形態と同様の構成要素については、同一の符号を付して説明を省略する。
【００３７】
（第３実施形態）  
次に、図８、図９に示す第３実施形態について説明する。なお、図８、図９において、図１〜図６に示す第１実施形態と同様の構成要素については、同一の符号を付して説明を省略する。
【００３８】
本実施形態では、図８、図９に示すように、ストッパー部３１ｂの表面の一部を、ガイド底面３１（リブ３１ａ）よりも摩擦係数の高いゴム部材４で形成しており、このゴム部材４は、ガイド底面３１（リブ３１ａ）と略同じ高さ位置か、または若干高い位置に配置されている。
【００３９】
このように、ストッパー部３１ｂの表面をゴム部材４で形成して、摩擦係数をガイド底面３１（リブ３１ａ）よりも高く設定することにより、異物ＦがカードＣの裏面側でこれと重なっていた場合には、異物Ｆの挿入方向Ｘへの移動をゴム部材４の摩擦力で確実に阻止することができ、カードＣから異物Ｆをより確実に分離することができる。
【００４０】
なお、ストッパー部３１ｂで異物Ｆの移動を阻止する効果が十分に見込めない場合には、例えば、凹部３４の表面を、ストッパー部３１ｂの表面と同様ゴム部材４で形成してもよい。この場合、異物Ｆの挿入方向Ｘへの移動を、凹部３４の摩擦力によって阻止することもできるため、異物Ｆの分離性能を向上させることができる。
【００４１】
また、ガイド底面３１（リブ３１ａ）よりも摩擦係数が高いものであれば、ゴム部材４を用いることに必ずしも限定されず、例えば、コルク材を用いてもよい。また、リブ３１ａ（ガイド底面３１）と異なる素材を用いることにも限定されず、例えば、ストッパー部３１ｂの表面上に粗いシボ面や細かい段差を形成することによって摩擦係数を高めるようにしてもよい。
【００４２】
（第４実施形態）  
次に、図１０に示す第４実施形態について説明する。なお、図１０において、図１〜図６に示す第１実施形態と同様の構成要素については、同一の符号を付して説明を省略する。
【００４３】
本実施形態では、図１０に示すように、挿入口ガイド３の天井面３３からストッパー部３１ｂに向かって突出する従動ローラ５と、バネ６とが設けられている。
【００４４】
従動ローラ５は、挿入方向Ｘに移動するカードＣと当接することによって回転可能とされている。そして、従動ローラ５は、ストッパー部３１ｂに対して接近、離反する方向に移動可能に支持されると共に、バネ６の弾性力によってストッパー部３１ｂに接近する方向（図中の押し付け方向Ｚ）に付勢されている。
【００４５】
本実施形態では、カードＣが挿入方向Ｘに移動する時、これが従動ローラ５によって押し付け方向Ｚに押し付けられる。これにより、カードＣは、リブ３１ａ及びストッパー部３１ｂと安定的に当接することになる。
【００４６】
このように、カードＣがリブ３１ａ及びストッパー部３１ｂと安定的に当接することで、異物ＦがカードＣの裏面側でこれと重なっていた場合には、異物Ｆに対してより大きな押し付け力を付与することができ、その結果、異物Ｆの浮き上がりを確実に抑制できる。このため、異物Ｆをより確実に凹部３４に落とし込むことができ、異物Ｆの分離性能をより向上させることができる。
【００４７】
また、従動ローラ５をバネ６の弾性力によって押し付け方向Ｚに付勢しているため、カードＣが挿入方向Ｘに移動する時には、その形状に応じてバネ６が弾性変形することで、カードＣに対して常に適切な押し付け力を付与することができる。これにより、カードＣをリブ３１ａ及びストッパー部３１ｂにより安定的に当接させることができる。
【００４８】
なお、従動ローラ５及びバネ６を設けた本実施形態の構成を、ストッパー部３１ｂの表面をゴム部材４（図８、図９参照）で形成した第３実施形態に適用してもよい。この場合、ゴム部材４と対応する位置に従動ローラ５が配置されることになるため、異物Ｆとゴム部材４との間の摩擦力が増加し、その結果、異物Ｆの分離性能をより向上させることができる。
【００４９】
なお、本実施形態では、従動ローラ５を設けることとしたが、カードＣをガイド底面３１に押し付けるものであれば、必ずしもこれに限定されるものではなく、例えば、カードＣの移動時に稼動するシャッターやシートを設けてもよい。
【００５０】
（第５実施形態）  
ところで、上述した各実施形態では、図２、図３、図８、図９等に示すように、中間部のリブ３１ａが、凹部３４の挿入方向Ｘの全幅に亘って形成されているが、本発明は必ずしもこれに限定されるものではない。例えば、図１１に示すように、リブ４１ａを凹部４４の途中で途切れるように形成してもよい。なお、図１１において、図１〜図６に示す第１実施形態と同様の構成要素については、同一の符号を付して説明を省略する。
【００５１】
本実施形態では、図１１に示すように、両端部のリブ３１ａに加え、中間部にも複数のリブ４１ａが形成されている。そして、これら複数のリブ４１ａは、凹部４４の途中で途切れることによって、凹部４４内に複数のストッパー部４１ｂを形成している。
【００５２】
これにより、カードＣが挿入方向Ｘに移動する時、異物ＦがカードＣの裏面側でこれと重なっていた場合には、ストッパー部３１ｂのみならず、その手前側のストッパー部４１ｂによって異物Ｆの移動を阻止することもできる。この場合、複数のリブ４１ａを形成した分、異物Ｆの移動が阻止される確率を高めることができるため、異物Ｆの分離性能をより向上させることができる。
【００５３】
なお、上述したようにリブ４１ａを凹部４４の途中で途切れるように形成した場合には、隣接するリブ４１ａ、４１ａ、…が直交方向Ｙの重なりＬを有するようにこれらを配置するのが好ましい。これにより、カードＣが挿入方向Ｘに移動する時にストッパー部４１ｂに引っ掛かることを防止できる。
【００５４】
（第６実施形態）  
また、本発明は、リブ３１ａ、４１ａ、ストッパー部３１ｂ、４１ｂ、及び凹部３４、４４を有する挿入口ガイド３によって異物分離手段を構成することに必ずしも限定されない。例えば、図１２に示すように、挿入方向Ｘと逆方向に回転可能な逆搬送ローラ７を有する挿入口ガイド５３によって異物分離手段を構成してもよい。なお、図１２において、図１〜図６に示す第１実施形態と同様の構成要素については、同一の符号を付して説明を省略する。
【００５５】
上述した第１〜第５実施形態では、異物Ｆをストッパー部３１ｂ、４１ｂに当接させることで、異物Ｆの挿入方向Ｘへの移動を阻止しているが、本実施形態では、逆搬送ローラ７の回転によって異物Ｆを搬送方向Ｘと逆方向に搬送することが可能であり、これによって異物Ｆの挿入方向Ｘへの移動を阻止するようになっている。
【００５６】
なお、本実施形態の場合、逆搬送ローラ７の駆動源として専用のモータを備えてもよいし、逆搬送ローラ７の駆動力を確保すべく、逆搬送ローラ７を、ベルト、ギア等を介してカードリーダー２の搬送ローラ２４に接続してもよい。
【００５７】
（その他の実施形態）  
また、ガイド底面３１にストッパー部３１ｂを形成する代わりに、挿入方向Ｘと反対方向に圧縮エアを噴射するノズルを設け、凹部３４に落とし込まれた異物Ｆの移動を、前記ノズルから噴射される圧縮エアによって阻止するようにしてもよい。
【符号の説明】
【００５８】
１…カード処理装置
３、５３…挿入口ガイド
４…ゴム部材
７…逆搬送ローラ
２１…挿入口
３１…ガイド底面
３１ａ、４１ａ…リブ
３１ｂ、４１ｂ…ストッパー部
３４…凹部
Ｃ…カード
Ｆ…異物
Ｘ…挿入方向
【図１】
2013119471.tif 000003
【図２】
2013119471.tif 000004
【図３】
2013119471.tif 000005
【図４】
2013119471.tif 000006
【図５】
2013119471.tif 000007
【図６】
2013119471.tif 000008
【図７】
2013119471.tif 000009
【図８】
2013119471.tif 000010
【図９】
2013119471.tif 000011
【図１０】
2013119471.tif 000012
【図１１】
2013119471.tif 000013
【図１２】
2013119471.tif 000014